(57)【要約】【課題】強度に優れた手提げ部を有する袋体を安価に得られる連続袋体を提供し、さらに製造コストが高くなることなく、手提げ部を強度に優れたものとすることができる収納袋を提供する。【解決手段】一対の上帯状部１ａと一対の下帯状部１ｂとを有し、これら上下帯状部１ａ、１ｂの間に、互いに係脱自在とした一対のファスナー部１ｃを有する各開閉ファスナー１を、各底部を未封着の状態とする各袋体２を連続構成する表シート生地２Ａと裏シート生地２Ｂのそれぞれの内面同士を、連続方向への袋単位毎の所定間隔をあけて幅方向に亘る所定の融着領域で融着して、各袋体２の構成部分の口部を封着した状態とし、前記各開閉ファスナー１の上帯状部１ａの融着領域内の一部領域で、前記表シート生地２Ａと裏シート生地２Ｂ及び上帯状部１ａをそれぞれ切り欠いて各袋体２の手提げ部３を設けたものとしている。【選択図】図１
0003170461.tif 000002
【実用新案登録請求の範囲】
【請求項１】
一対の上帯状部（１ａ）と一対の下帯状部（１ｂ）有し、これら上下帯状部（１ａ、１ｂ）の間に、互いに係脱自在とした一対のファスナー部（１ｃ）を有する各開閉ファスナー（１）を、各底部を未封着の状態とする各袋体（２）を連続構成する表シート生地（２Ａ）と裏シート生地（２Ｂ）のそれぞれの内面同士を、連続方向への袋単位毎の所定間隔をあけて幅方向に亘る所定の融着領域で融着して、各袋体(２)の構成部分の口部を封着した状態とし、前記各開閉ファスナー１の上帯状部（１ａ）の融着領域内の一部領域で、前記表シート生地（２Ａ）と裏シート生地（２Ｂ）及び上帯状部（１ａ）をそれぞれ切り欠いて各袋体（２）の手提げ部（３）を設けたことを特徴とする連続袋体。
【請求項２】
一対の上帯状部（１ａ）と一対の下帯状部（１ｂ）有し、これら上下帯状部（１ａ、１ｂ）の間に、互いに係脱自在とした一対のファスナー部（１ｃ）を有する開閉ファスナー（１）を、底部を未封着の状態とした袋体（２）を構成する表シート（２ａ）と裏シート（２ｂ）のそれぞれの内面において、対向する上帯状部（１ａ）同士、或いは上帯状部（１ａ）と表シート（２ａ）同士、或いは上帯状部（１ａ）と裏シート（２ｂ）同士の少なくともいずれかを、袋体（２）の幅方向に亘る所定の融着領域で融着して袋体（２）の口部を封着した状態とし、前記開閉ファスナー（１）の上帯状部（１ａ）の融着領域内の一部領域で、前記表シート（２ａ）と裏シート（２ｂ）及び上帯状部（１ａ）を切り欠いて袋体（２）の手提げ部（３）を設けたことを特徴とする収納袋。
【請求項３】
前記各開閉ファスナー（１）の上帯状部（１ａ）の上下幅を、前記各開閉ファスナー（１）の下帯状部（１ｂ）の上下幅より広いものとした請求項１記載の連続袋体。
【請求項４】
前記開閉ファスナー（１）の上帯状部（１ａ）の上下幅を、前記開閉ファスナー（１）の下帯状部（１ｂ）の上下幅より広いものとした請求項２記載の収納袋。
【請求項５】
前記各ファスナー部（１ｃ）と各手提げ部（３）の間における各上帯状部（１ａ）を、前記各手提げ部（３）を切り離し易くするために薄膜形成した請求項１または３記載の連続袋体。
【請求項６】
前記ファスナー部（１ｃ）と手提げ部（３）の間における上帯状部（１ａ）を、前記手提げ部（３）を切り離し易くするために薄膜形成した請求項２または４記載の収納袋。
【請求項７】
前記各上下帯状部（１ａ、１ｂ）の内面にそれぞれ複数の線状突起（ｐ）を設けたものとし、さらにこれら複数の線状突起（ｐ）の間に、前記各手提げ部（３）を切り離し易くするための断面形状が略Ｖ字状の線状溝（ｄ）を設けた請求項１、３、５の何れかに記載の連続袋体。
【請求項８】
前記上下帯状部（１ａ、１ｂ）の内面にそれぞれ複数の線状突起（ｐ）を設けたものとし、さらにこれら複数の線状突起（ｐ）の間に、前記手提げ部（３）を切り離し易くするための断面形状が略Ｖ字状の線状溝（ｄ）を設けた請求項２、４、６の何れかに記載の収納袋。
【請求項９】
前記各手提げ部（３）を横長孔または横線とし、これら横長孔または横線の中央に手指を差し込むための拡大部（３ａ）を設けた請求項１、３、５、７の何れかに記載の連続袋体。
【請求項１０】
前記手提げ部（３）を横長孔または横線とし、これら横長孔または横線の中央に手指を差し込むための拡大部（３ａ）を設けた請求項２、４、６、８の何れかに記載の収納袋。
【考案の詳細な説明】
【技術分野】
【０００１】
本考案は、複数の袋体がそれぞれ底部未封着の状態で連続形成された連続袋体、及び連続袋体から分離され、穀物などの内容物を収納して底部が封着されるようにした収納袋に関する。
【背景技術】
【０００２】
従来、この種の収納袋としては、例えば、図９、１０に示したようなものが存在する。この収納袋は、図示したように、手提げ部１１を手提げ用テープ１２で構成し、その手提げ用テープ１２の両端を、袋体１３を構成する表シート１４と裏シート１５間に挟み込んで融着させ、さらに袋体１３の開封部を開閉可能としたファスナー１６を設けたものとしている（特許文献１）。
【０００３】
上記従来の収納袋は、手提げ用テープ１２の両端を表シート１４と裏シート１５間に挟んでこれらのシートに融着させているので、融着部１７の面積を広く確保して手提げ用テープ１２の接合強度を高めることができ、強度に優れる手提げ用テープ１２を使用することで重量の大きい米入り袋などにも問題なく適用することができるとしている。
【０００４】
さらに、この種の連続袋体及び収納袋としては、図１１、１２に示したような本出願人が先に提案したものが存在する。この連続袋体は、図示したように、底部未封着の状態で連続形成された各袋体２１の口部に、係合ファスナー２２を袋幅方向に所定の開閉融着領域２３で表裏シート生地２４、２５内面に融着した開閉部と、丸孔２６を袋幅方向に併設すると共に孔周縁の所定の手提げ融着領域２７でシート生地同士を融着した手提げ部とを隣接形成してなるものとしている。そして、収納袋は、図示したように、底部未封着の状態で形成された袋体３１の口部に、係合ファスナー３２を袋幅方向に所定の開閉融着領域３３で表裏シート３４、３５内面に融着した開閉部と、丸孔３６を袋幅方向に併設すると共に孔周縁の所定の手提げ融着領域３７でシート同士を融着した手提げ部とを隣接形成してなるものとしている（特許文献２）。
【０００５】
上記従来の連続袋体は、開封前に手提げ運搬時の強度が確保されてなる連続形成した袋体を安価に得られるものとなるとしており、上記従来の収納袋は、収納袋内に多くの収納物が収められたときに、収納物の口部において開閉部及びその手提げ部からなる上部辺が自立することで、開封前は持ちやすくかつ開封後は開閉しやすいものであるとしている。
【先行技術文献】
【特許文献】
【０００６】
【特許文献１】特開２００９−２５５９６３号公報
【特許文献２】実用新案登録第３１６６５８３号公報
【考案の概要】
【考案が解決しようとする課題】
【０００７】
しかしながら、図９、１０に示した従来の収納袋では、強度に優れる手提げ用テープ１２を使用するといっても、その手提げ用テープ１２は表シート１４と裏シート１５間に挟んでこれらのシートに融着させているので、その強度はこれら表シート１４と裏シート１５の強度に左右されることになり、これらのシートも強度に優れたものにするのは、使用面積も大きいため、製造コストが高くなるという問題点を有していた。
【０００８】
さらに、図１２に示した従来の収納袋では、袋体３１の口部に、丸孔３６を袋幅方向に併設すると共に孔周縁の所定の手提げ融着領域３７でシート生地を融着した手提げ部を隣接形成しているので、手提げ部は強度に優れたものとなっているが、図９、１０に示したものと同様に、手提げ部の強度は表裏シート３４、３５の強度に左右されることになり、これらのシートを強度に優れたものにするのは、使用面積も大きいため、製造コストが高くなるという問題点を有していた。
【０００９】
そこで、本考案は、上記従来の問題点を解決することをその課題としており、強度に優れた手提げ部を有する袋体を安価に得られる連続袋体を提供し、さらに製造コストが高くなることなく、手提げ部を強度に優れたものとすることができる収納袋を提供することを目的としてなされたものである。
【課題を解決するための手段】
【００１０】
本考案の連続袋体は、一対の上帯状部１ａと一対の下帯状部１ｂとを有し、これら上下帯状部１ａ、１ｂの間に、互いに係脱自在とした一対のファスナー部１ｃを有する各開閉ファスナー１を、各底部を未封着の状態とする各袋体２を連続構成する表シート生地２Ａと裏シート生地２Ｂのそれぞれの内面同士を、連続方向への袋単位毎の所定間隔をあけて幅方向に亘る所定の融着領域で融着して、各袋体２の構成部分の口部を封着した状態とし、前記各開閉ファスナー１の上帯状部１ａの融着領域内の一部領域で、前記表シート生地２Ａと裏シート生地２Ｂ及び上帯状部１ａをそれぞれ切り欠いて各袋体２の手提げ部３を設けたものとしている。
【００１１】
また、本考案の収納袋は、一対の上帯状部１ａと一対の下帯状部１ｂとを有し、これら上下帯状部１ａ、１ｂの間に、互いに係脱自在とした一対のファスナー部１ｃを有する開閉ファスナー１を、底部を未封着の状態とした袋体２を構成する表シート２ａと裏シート２ｂのそれぞれの内面において、対向する上帯状部１ａ同士、或いは上帯状部１ａと表シート２ａ同士、或いは上帯状部１ａと裏シート２ｂ同士の少なくともいずれかを、袋体２の幅方向に亘る所定の融着領域で融着して袋体２の口部を封着した状態とし、前記開閉ファスナー１の上帯状部１ａの融着領域内の一部領域で、前記表シート２ａと裏シート２ｂ及び上帯状部１ａを切り欠いて袋体２の手提げ部３を設けたものとしている。
【００１２】
そして、本考案の連続袋体において、前記各開閉ファスナー１の上帯状部１ａの上下幅を、前記各開閉ファスナー１の下帯状部１ｂの上下幅より広いものとしたり、前記各ファスナー部１ｃと各手提げ部３の間における各上帯状部１ａを、前記各手提げ部３を切り離し易くするために薄膜形成したものとしたり、前記各上下帯状部１ａ、１ｂの内面にそれぞれ複数の線状突起ｐを設けたものとし、さらにこれら複数の線状突起ｐの間に、前記各手提げ部３を切り離し易くするための断面形状が略Ｖ字状の線状溝ｄを設けたものとしたり、前記各手提げ部３を横長孔または横線とし、これら横長孔または横線の中央に手指を差し込むための拡大部３ａを設けたものとしている。
【００１３】
さらに、本考案の収納袋において、前記開閉ファスナー１の上帯状部１ａの上下幅を、前記開閉ファスナー１の下帯状部１ｂの上下幅より広いものとしたり、前記ファスナー部１ｃと手提げ部３の間における上帯状部１ａを、前記手提げ部３を切り離し易くするために薄膜形成したものとしたり、前記上下帯状部１ａ、１ｂの内面にそれぞれ複数の線状突起ｐを設けたものとし、さらにこれら複数の線状突起ｐの間に、前記手提げ部３を切り離し易くするための断面形状が略Ｖ字状の線状溝ｄを設けたものとしたり、前記手提げ部３を横長孔または横線とし、これら横長孔または横線の中央に手指を差し込むための拡大部３ａを設けたものとしている。
【考案の効果】
【００１４】
本考案の連続袋体は、以上に述べたように構成されているので、強度に優れた手提げ部を有する袋体を安価に得られるものとなった。
【００１５】
さらに、本考案の収納袋は、以上に述べたように構成されているので、製造コストが高くなることなく、手提げ部を強度に優れたものとすることができるものとなった。
【図面の簡単な説明】
【００１６】
【図１】本考案の連続袋体の正面図。
【図２】図１中のＡ−Ａによる拡大断面図。
【図３】図１中のＢ−Ｂによる拡大断面図。
【図４】本考案の収納袋の正面図。
【図５】図４中のＣ−Ｃによる拡大断面図。
【図６】本考案の連続袋体及び収納袋の手提げ部分の各態様を示す部分正面図。
【図７】本考案の収納袋に内容物を収納して底部を封着した状態の正面図。
【図８】図７の手提げ部分を切り取った状態の正面図。
【図９】従来の収納袋の正面図。
【図１０】図９に示す従来の収納袋の使用状態の説明図。
【図１１】従来の連続袋体の説明図。
【図１２】従来の収納袋に内容物を収納して底部を封着した状態の正面図。
【考案を実施するための形態】
【００１７】
以下、本考案の連続袋体及び収納袋を実施するための一形態を、図面に基づいて詳細に説明する。
【００１８】
本考案の連続袋体は、図１〜３に示したように、各開閉ファスナー１を、各底部を未封着の状態とする各袋体２を連続構成する表シート生地２Ａと裏シート生地２Ｂのそれぞれの内面に所定間隔をおいて、連続袋体の幅方向の両端融着部を除く大部分に連続して亘る融着領域によって融着して、各袋体２の口部を封着した状態としている。なお、実施例の各開閉ファスナー１は、表シート生地２Ａと裏シート生地２Ｂのそれぞれの内面に、後に述べる上帯状部１ａと下帯状部１ｂのそれぞれを挟みこみ、各それぞれの内外面をすべて融着したものとしているが、少なくとも上帯状部１ａの内面同士又は外面同士の少なくともいずれかのみを融着したものとすればよい。また、各下帯状部１ａはその外面と対向するシート生地２Ａ、２Ｂの各内面と融着させているが、このうちいずれか片側の下帯状部１ａを融着しないものとしてもよい。
【００１９】
前記各開閉ファスナー１は、一対の上帯状部１ａと一対の下帯状部１ｂ有し、これら上下帯状部１ａ、１ｂの間に、互いに係脱自在とした一対のファスナー部１ｃを有している。前記上下帯状部１ａ、１ｂの内面には、それぞれ複数の線状突起ｐが設けられており、これらの線状突起ｐによって前記上下帯状部１ａ、１ｂの強度が強化されている。さらに、前記上帯状部１ａの上端部は、線状突起ｐ同士を融着したものとし、その上帯状部１ａの上端部がばらけないようにしているが、線状突起ｐ同士を融着したものとしないでもよい。また、前記ファスナー部１ｃは、図示したような一条の雌部と雄部とを係脱自在として組み合わせたものとしているが、複数条からなる雌部と雄部とを係脱自在として組み合わせたものとしても、他の形態としてもよい。
【００２０】
前記各袋体２を連続構成する表シート生地２Ａと裏シート生地２Ｂは、図示したように二枚のシ−ト生地を重ね合わせて両側部を融着して構成したものとしているが、チューブ状のシート生地を扁平にして構成したものとしてもよい。
【００２１】
そして、前記各開閉ファスナー１の上帯状部１ａの領域で、前記表シート生地２Ａと裏シート生地２Ｂ及び上帯状部１ａをそれぞれ切り欠いて各袋体２の手提げ部３を設けたものとしている。この手提げ部３を設けた切り欠き領域は、表シート生地２Ａとこの表シート生地２Ａに融着した上帯状部１ａ、裏シート生地２Ｂとこの裏シート生地２Ｂに融着した上帯状部１ａとによって四層になっているので、これらの素材を特に分厚くしたり、特に強度補強材等による別部材の補強を行わなくても、手提げ部３は強度に優れたものとなる。さらに、この手提げ部３を設けた切り欠き領域（手提げ部の切り欠き縁を含む大きさの纏まった連続領域）において、前記上帯状部１ａの内面同士も融着して合計４層の融着構造とすれば、その融着によって手提げ部３はより一層、強度に優れたものとなる。なお、前記手提げ部３を設けた領域は、表シート生地２Ａと上帯状部１ａ、裏シート生地２Ｂと上帯状部１ａの両方ともをそれぞれ融着したものとした方が、前記したようにその融着によって強度に優れたものとなり、さらに手提げ部３がばらけることのないものとなるが、これらの両方とも、または一方を融着したものとしないでも、手提げ部３の強度が優れたものとなるのは言うまでもない。
【００２２】
本考案の連続袋体において、前記各開閉ファスナー１の上帯状部１ａの上下幅は、前記各開閉ファスナー１の下帯状部１ｂの上下幅より広いものとしている。このようにするのは、前記各開閉ファスナー１の上帯状部１ａの領域に設けられる手提げ部３を設け易くするためである。
【００２３】
前記各手提げ部３は、図示したような横長孔形状、横線形状などの各形状として、前記表シート生地２Ａと裏シート生地２Ｂ及び上帯状部１ａをそれぞれ切り欠いて設けたものとしている。さらに、前記各手提げ部３として、横長孔、横線の中央に手指を差し込むための拡大部３ａを正面視下方への膨出形状で形成している。図１に示した各手提げ部３は、上向きの円弧とした横長孔形状とし、この孔の中央に下方に向けて手指を差し込むための拡大部３ａを設けたものとして、手提げ部３を提げ易くしており、さらに前記円弧の両端に水平延長部３ｂを設け、手提げ時の荷重が掛かる方向を変えて、手提げ部３の両端を裂け難くしている。また、各手提げ部３は、図６（ａ）に示したように、上向きの円弧とした横長孔形状とし、その円弧の両端に水平延長部３ｂを設け、手提げ時の荷重が掛かる方向を変えて、手提げ部３の両端を裂け難くしたり、図６（ｂ）に示したように、上向きの円弧とした横線形状とし、その円弧の両端にフック状の切欠き３ｃを設け、手提げ時の荷重が掛かる方向を変えると共に両端部の応力集中を回避して、手提げ部３の両端を裂け難くしたり、図６（ｃ）に示したように、上向きの円弧とした横線形状とし、その円弧の両端に小孔３ｄを設け、手提げ時の荷重が掛かる方向を変えると共に両端部の応力集中を回避して、手提げ部３の両端を裂け難くしている。なお、図６（ｂ）（ｃ）に示した手提げ部３は、手指を差し込むための拡大部３ａを設けたものとしていないが、図１に示した手提げ部３と同様に、手指を差し込むための拡大部３ａを設けたものとしてもよい。
【００２４】
本考案の連続袋体において、前記各開閉ファスナー１のファスナー部１ｃと各袋体２の手提げ部３の間における表裏シート生地２Ａ、２Ｂの側端部には、前記各手提げ部３を切り離すための各引裂起部４を形成したものとしている。前記各引裂起部４は、図示したものでは略半円形状としているが、三角形状、線状などの任意形状の切欠きとすることができる。
【００２５】
本考案の連続袋体において、前記各ファスナー部１ｃと各手提げ部３の間における各上帯状部１ａは、前記各手提げ部３を切り離し易くするために薄膜形成したものとしている。さらに、前記各上帯状部１ａは、それぞれの内面に設けた複数の線状突起ｐの間にそれぞれ断面形状が略Ｖ字状の線状溝ｄを設け、これらの何れかの線状溝ｄの溝底に沿って切り裂くことにより、前記各手提げ部３を切り離し易くしている。
【００２６】
前記各上帯状部１ａの薄膜形成した部分や線状溝ｄを設けた部分は、前記各引裂起部４に連接したものとするのが、前記各手提げ部３をより切り離し易くなるので好ましい。また、前記各上帯状部１ａを薄膜形成したものとしたり、各上帯状部１ａに線状溝ｄを設けたものとする代りに、これらの部分に対応する表裏シート生地２Ａ、２Ｂにミシン目や弱め線（図示せず）を設けたものとしてもよい。なお、前記ミシン目や弱め線も同様に、引裂起部４に連接したものとするのが好ましい。
【００２７】
本考案の連続袋体において、前記各袋体２は、底部近傍において、表シート生地２Ａと裏シート生地２Ｂの両側辺部に、これらシート生地同士を融着した窪み部５が対称形成されている。この窪み部５は、各袋体２を分離して収納袋とし、粒状物などの内容物を収納した封着状態では、図７に示したように、その収納した内容物の自重で表シート生地２Ａと裏シート生地２Ｂの両側辺部が外方に曲げられ、収納袋の底部が広がり、その収納袋が自立できるようにするためのものである。
【００２８】
さらに、本考案の連続袋体において、前記各袋体２は、底部で袋幅方向に分離されるための底部分離口を形成するための切取り線６が設けられている。これら切取り線６は、弱め線やミシン目などとすることができ、これら切取り線６で切り取って各袋体２に分離し、各袋体２に形成された底部分離口から、内容物を収納した後にこの底部分離口が辺状封着されるようにしている。
【００２９】
そして、本考案の連続袋体は、前記したように各袋体２に分離し、以下に述べる収納袋として製品化してもよいが、自動計量・包装機で内容物の袋詰めを行う場合には、各袋体２に分離することなく、そのまま巻き取ってロール状にするなどして製品化することができる。
【００３０】
次に、本考案の収納袋は、前記連続袋体を各袋体２に分離したものと実質的に同一構造であり、前記連続袋体を各袋体２に分離して作成されるものであるが、このように連続袋体を各袋体２に分離して作成することなく、一個ずつ作成してもよいのは言うまでもない。
【００３１】
したがって、本考案の収納袋は、上記した連続袋体の説明と重複する部分が多いが、以下、本考案の収納袋を実施するための形態についても同様に説明する。
【００３２】
本考案の収納袋は、図４に示したように、開閉ファスナー１を、底部を未封着の状態とした袋体２を構成する表シート２ａと裏シート２ｂのそれぞれの内面において幅方向に融着して、袋体２の口部を封着した状態としている。なお、開閉ファスナー１は、表シート２ａと裏シート２ｂのそれぞれの内面に、後に述べる上帯状部１ａと下帯状部１ｂのそれぞれを幅方向全体に亘る融着領域として融着したものとしているが、他の融着領域として、少なくとも下帯状部１ｂの幅方向大部分（例えば、表シート、裏シート同士の融着端部である両側端を除く幅方向の等幅領域）の両側面との対向面部分のみを融着したもの、或いは、上帯状部１ａの幅方向大部分（例えば、表シート、裏シート同士の融着端部である両側端を除く幅方向の等幅領域）の両側面との対向面部分のみを融着したものとしてもよい。
【００３３】
前記開閉ファスナー１は、一対の上帯状部１ａと一対の下帯状部１ｂ有し、これら上下帯状部１ａ、１ｂの間に、互いに係脱自在とした一対のファスナー部１ｃを有している。前記上下帯状部１ａ、１ｂの内面には、それぞれ複数の線状突起ｐが設けられており、これらの線状突起ｐによって前記上下帯状部１ａ、１ｂの強度が強化されている。さらに、前記上帯状部１ａの上端部は、線状突起ｐ同士を融着したものとし、その上帯状部１ａの上端部がばらけないようにしているが、線状突起ｐ同士を融着したものとしないでもよい。また、前記ファスナー部１ｃは、図示したような一条の雌部と雄部とを係脱自在として組み合わせたものとしているが、複数条からなる雌部と雄部とを係脱自在として組み合わせたものとしても、他の形態としてもよい。
【００３４】
前記袋体２を構成する表シート２ａと裏シート２ｂは、図示したように二枚のシ−トを重ね合わせて両側部を融着して構成したものとしているが、チューブ状のシートを扁平にして構成したものとしてもよい。
【００３５】
そして、前記開閉ファスナー１の上帯状部１ａの領域で、前記表シート２ａと裏シート２ｂ及び上帯状部１ａをそれぞれ切り欠いて袋体２の手提げ部３を設けたものとしている。この手提げ部３を設けた切り欠き領域の周縁又は周縁に沿う部分（すなわち、少なくとも切り欠き形状の周縁に沿う領域又はその周囲近傍の連続閉領域）は、表シート２ａとこの表シート２ａに融着した上帯状部１ａ、裏シート２ｂとこの裏シート２ｂに融着した上帯状部１ａとによって四層になっているので、これらの素材を特に分厚くしたり、特に強度に優れたものにしなくても、手提げ部３は強度に優れたものとなる。さらに、この手提げ部３を設けた切り欠き領域（少なくとも切り欠き形状の周縁に沿う領域又はその周囲近傍のひとかたまりの領域）において、前記上帯状部１ａの内面同士も融着したものとすれば、その融着によって手提げ部３はより一層、強度に優れたものとなる。なお、前記手提げ部３を設けた切り欠き領域（少なくとも切り欠き形状の周縁に沿う領域又はその周囲近傍のひとかたまりの領域）は、表シート２ａと上帯状部１ａ、裏シート２ｂと上帯状部１ａの両方ともをそれぞれ融着したものとした方が、前記したようにその融着によって強度に優れたものとなり、さらに手提げ部３がばらけることのないものとなるが、これらの両方とも、または一方を融着しない形態でも、手提げ部３の強度が優れたものとなるのは言うまでもない。
【００３６】
本考案の収納袋において、前記開閉ファスナー１の上帯状部１ａの上下幅は、前記開閉ファスナー１の下帯状部１ｂの上下幅より広いものとしている。このようにするのは、前記開閉ファスナー１の上帯状部１ａの融着領域を確保してその一部に設けられる手提げ部３の切り欠き領域の強度を得るためである。
【００３７】
前記手提げ部３は、図示したような横長孔形状、横線形状などの各形状として、前記表シート２ａと裏シート２ｂ及び上帯状部１ａをそれぞれ切り欠いて設けたものとしている。さらに、前記手提げ部３は、横長孔、横線の中央に手指を差し込むための拡大部３ａを設けたものとしている。図４に示した手提げ部３は、上向きの楕円弧とした横長孔形状とし、この孔の中央に下方に向けて手指を差し込むための拡大部３ａを設けたものとして、手提げ部３を提げ易くしており、さらに前記円弧の両端に水平延長部３ｂを設け、手提げ時の荷重が掛かる方向を変えて、手提げ部３の両端を裂け難くしている。また、手提げ部３は、図６（ａ）に示したように、上向きの円弧とした横長孔形状とし、その円弧の両端に水平延長部３ｂを設け、手提げ時の荷重が掛かる方向を変えて、手提げ部３の両端を裂け難くしたり、図６（ｂ）に示したように、上向きの円弧とした横線形状とし、その円弧の両端にフック状の切欠き３ｃを設け、手提げ時の荷重が掛かる方向を変えると共に端部の応力集中の発生を回避して、手提げ部３の両端を裂け難くしたり、図６（ｃ）に示したように、上向きの円弧とした横線形状とし、その円弧の両端に小孔３ｄを設け、手提げ時の荷重が掛かる方向を変えると共に端部の応力集中の発生を回避して、手提げ部３の両端を裂け難くしている。なお、図６（ｂ）（ｃ）に示した手提げ部３は、手指を差し込むための拡大部３ａを設けたものとしていないが、図４に示した手提げ部３と同様に、手指を差し込むための拡大部３ａを設けたものとしてもよい。
【００３８】
本考案の収納袋において、前記開閉ファスナー１のファスナー部１ｃと袋体２の手提げ部３の間における表裏シート２ａ、２ｂの側端部には、前記手提げ部３を切り離すための引裂起部４を形成したものとしている。前記引裂起部４は、図示したものでは略半円形状としているが、三角形状、線状などの任意形状の切欠きとすることができる。
【００３９】
本考案の収納袋において、前記ファスナー部１ｃと手提げ部３の間における上帯状部１ａは、前記手提げ部３を切り離し易くするために薄膜形成したものとしている。さらに、前記上帯状部１ａは、それぞれの内面に設けた複数の線状突起ｐの間にそれぞれ断面形状が略Ｖ字状の線状溝ｄを設け、薄く形成されたこれらの何れかの線状溝ｄの溝底に沿って切り裂くことにより、前記手提げ部３を切り離し易くしている。
【００４０】
前記上帯状部１ａの薄膜形成した部分や線状溝ｄを設けた部分は、前記引裂起部４に連接したものとするのが、前記手提げ部３をより切り離し易くなるので好ましい。また、前記上帯状部１ａを薄膜形成したものとしたり、上帯状部１ａに線状溝ｄを設けたものとする代りに、これらの部分に対応する表裏シート２ａ、２ｂにミシン目や弱め線（図示せず）を設けたものとしてもよい。なお、前記ミシン目や弱め線も同様に、引裂起部４に連接したものとするのが好ましい。
【００４１】
本考案の収納袋において、前記袋体２は、底部近傍において、表シート２ａと裏シート２ｂの両側辺部に、これらシート同士を融着した窪み部５が対称形成されている。この窪み部５は、袋体２に粒状物などの内容物を収納した封着状態では、図７に示したように、その収納した内容物の自重で表シート２ａと裏シート２ｂの両側辺部が外方に曲げられ、収納袋の底部が広がり、その収納袋が自立できるようにするためのものである。
【００４２】
さらに、本考案の収納袋において、前記袋体２は、底部分離口が形成されており、この底部分離口から、内容物を収納した後にこの底部分離口が辺状封着されるようにしている。
【００４３】
以上のように構成した本考案の連続袋体は、表シート生地２Ａと裏シート生地２Ｂの内面に各開閉ファスナー１を融着したり、表シート生地２Ａと裏シート生地２Ｂ及び上帯状部１ａをそれぞれ切り欠いて各袋体２の手提げ部３を設けたり、各手提げ部３を切り離すための各引裂起部４を形成したりする作業は、自動製袋機によって行われるので、強度に優れた手提げ部３を有する各袋体２を、連続形成して安価に得られるものとなる。
【００４４】
さらに、以上のように構成した本考案の収納袋は、表シート２ａとこの表シート２ｂに融着した上帯状部１ａ、裏シート２ｂとこの裏シート２ｂに融着した上帯状部１ａとによって四層になっているので、これらの素材を特に分厚くしたり、特に強度補強材を介在させなくても、手提げ部３は強度に優れたものとなるので、製造コストが高くなることはない。
【符号の説明】
【００４５】
１  開閉ファスナー
１ａ  上帯状部
１ｂ  下帯状部
２  袋体
２Ａ  表シート生地
２Ｂ  裏シート生地
２ａ  表シート
２ｂ  裏シート
３  手提げ部
３ａ  拡大部
４  引裂起部
ｄ  線状溝
ｐ  線状突起
【図１】
0003170461.tif 000003
【図２】
0003170461.tif 000004
【図３】
0003170461.tif 000005
【図４】
0003170461.tif 000006
【図５】
0003170461.tif 000007
【図６】
0003170461.tif 000008
【図７】
0003170461.tif 000009
【図８】
0003170461.tif 000010
【図９】
0003170461.tif 000011
【図１０】
0003170461.tif 000012
【図１１】
0003170461.tif 000013
【図１２】
0003170461.tif 000014